(57)【要約】      （修正有）【課題】冷却ファンの停止検知に異常(故障)が生じた場合でも、冷却ファンを正常に制御する。【解決手段】記録再生装置は、装置の発熱部分を冷却するための冷却装置２００を備え、冷却装置動作指示手段４１０による指示と、停止検知手段２１０による冷却装置の動作状態と、停止検知チェック手段４２０による停止検知手段の動作状態とを比較することにより、冷却装置の動作状態を判断する判断手段４３０とを備え、判断手段で、冷却装置動作指示手段により冷却装置に対して動作させる指示をなす前であって、停止検知チェック手段により停止検知手段が正常に動作していないと判断した場合には、冷却装置動作指示手段による冷却装置に対する動作指示を出力させない。【選択図】図４
2009211793.tif 000002
【特許請求の範囲】
【請求項１】
装置の発熱部分を冷却するための冷却装置を備えた記録再生装置において、
前記冷却装置を動作させるか否かを指示する冷却装置動作指示手段と、
前記冷却装置動作指示手段による前記冷却装置への動作指示に対応して前記冷却装置の
動作中に、該動作が停止、若しくは、前記冷却装置が動作していないことを検知する停止
検知手段と、
前記停止検知手段が正常に動作しているか否かをチェックする停止検知チェック手段と
、
前記冷却装置動作指示手段による指示と、前記停止検知手段による前記冷却装置の動作
状態と、前記停止検知チェック手段による前記停止検知手段の動作状態とを比較すること
により、前記冷却装置の動作状態を判断する判断手段と
を備え、
前記判断手段で、前記冷却装置動作指示手段により前記冷却装置に対して動作させる指
示をなす前であって、前記停止検知チェック手段により前記停止検知手段が正常に動作し
ていないと判断した場合には、
前記冷却装置動作指示手段による前記冷却装置に対する前記動作指示を出力させないこ
とを特徴とする記録再生装置。
【請求項２】
前記判断手段による判断結果を、前記装置外部に出力する出力手段を備え、
前記出力手段から、前記冷却装置の動作状態を出力することを特徴とする請求項１記載
の記録再生装置。
【請求項３】
前記停止検知チェック手段は、プルアップ回路を備え、
前記プルアップ回路により、前記停止検知手段が正常に動作しているか否かを検知する
ことを特徴とする請求項１記載の記録再生装置。
【発明の詳細な説明】
【技術分野】
【０００１】
本発明は、映像信号を記録，再生可能な記録再生装置に関する。
【背景技術】
【０００２】
画像記録装置(複写機)において、装置全体の発熱部を冷却するための冷却装置(冷却フ
ァン)を備え、冷却ファンが異常停止すると、停止検知機構が冷却ファンの異常停止を検
知してLEDを点灯して作業者に知らせる，異常停止の検知から所定時間後に自動的に画像
記録装置への給電を停止し、これにより装置全体の異常昇温を防止するものが知られてい
る(特許文献１)。
【０００３】
しかしながら、該装置では、停止検知機構が異常(故障)の場合は、これを検出するすべが
なく、冷却ファンの正常な制御ができないという問題点があった。
【特許文献１】特開平５−３０７２８９号公報
【発明の開示】
【発明が解決しようとする課題】
【０００４】
従来の装置は、冷却ファンの(冷却ファン回転)停止検知機構が異常(故障)の場合は、こ
れを検出するすべがなく、冷却ファンの正常な制御ができないというという問題点があっ
た。
【０００５】
本発明は、冷却ファンの停止検知に異常(故障)が生じた場合でも、冷却ファンを正常に
制御することができる記録再生装置を提供することを目的とする。
【課題を解決するための手段】
【０００６】
上記目的を達成するために、本発明の記録再生装置は、装置の発熱部分を冷却するため
の冷却装置を備えた記録再生装置において、
前記冷却装置を動作させるか否かを指示する冷却装置動作指示手段と、
前記冷却装置動作指示手段による前記冷却装置への動作指示に対応して前記冷却装置の
動作中に、該動作が停止、若しくは、前記冷却装置が動作していないことを検知する停止
検知手段と、
前記停止検知手段が正常に動作しているか否かをチェックする停止検知チェック手段と、
前記冷却装置動作指示手段による指示と、前記停止検知手段による前記冷却装置の動作
状態と、前記停止検知チェック手段による前記停止検知手段の動作状態とを比較すること
により、前記冷却装置の動作状態を判断する判断手段と
を備え、
前記判断手段で、前記冷却装置動作指示手段により前記冷却装置に対して動作させる指
示をなす前であって、前記停止検知チェック手段により前記停止検知手段が正常に動作し
ていないと判断した場合には、
前記冷却装置動作指示手段による前記冷却装置に対する前記動作指示を出力させないこ
とを特徴とする。
【０００７】
そして、  冷却装置を動作させる前に、停止検知手段が正常に動作しているか否かをチ
ェックすることができるので、冷却装置の動作状態を正しく検出することができる。
【０００８】
また、前記判断手段による判断結果を、前記装置外部に出力する出力手段を備え、
前記出力手段から、前記冷却装置の動作状態を出力することを特徴とする。
【０００９】
そして、冷却装置の動作状態を出力することにより、ユーザは、冷却装置の動作状態を
正しく把握することができる。
【００１０】
また、前記停止検知チェック手段は、プルアップ回路を備え、
前記プルアップ回路により、前記停止検知手段が正常に動作しているか否かを検知する
ことを特徴とする。
【発明の効果】
【００１１】
本発明によれば、冷却装置(冷却ファン)の停止検知に異常(故障)が生じた場合でも、冷
却ファンを正常に制御することができる。
【発明を実施するための最良の形態】
【００１２】
以下、図面を参照して本発明の実施の形態を説明する。
【００１３】
図１は、この実施の形態で説明する記録再生装置のブロック図を示している。
【００１４】
記録再生装置1000は、システムマイコン部10、メモリ部20、チューナ部30、録再信号処
理部40、ハードディスクドライブ部50、ディスクドライブ部60、MPU100、キー入力部110
、表示部120、電源部130、電源切換部140、冷却ファン(FAN)200により構成される。
【００１５】
なお、記録再生装置1000は、記録媒体として光ディスク(DVD-R/RW/RAM，HD DVD記録可
能ディスク)10とハードディスク(HDD)ドライブ部20の両方の記録デバイスを取り扱うこと
ができるものとしているが、記録デバイスとしては、例えば半導体メモリ等を用いること
も可能である。光ディスク10は、ディスクドライブ部60で記録，再生することができる。
【００１６】
記録再生装置1000において、システムマイコン部10は、記録再生装置1000の各機能回路
部についての制御を実行する。メモリ部20には、システムマイコン部10が実行すべきプロ
グラムや、初期設定情報などの所要の情報が格納される。なお、この場合のメモリ部20の
ROM部は、電源部130からの電源供給が停止してもそれまでの記憶内容は保持されるととも
に、書き換え可能なメモリ素子を用いて構成されているものとする。RAM部には、システ
ムマイコン部10が各種処理を実行する際に参照するデータや、システムマイコン部10が処
理過程において生成したデータなどが記憶保持される。
【００１７】
また、キー入力部110は、例えば、記録再生装置1000の前面パネルに設けられる操作キ
ーから成る。キー入力部110に対して行われた操作は、MPU100にて受付し、システムマイ
コン部10に伝達され、所要の制御処理を実行する。表示部120は、MPU100に接続され、MPU
100の状態を表示する。
【００１８】
チューナ部30は、例えば、図示しないアンテナにより受信した放送局の放送波を入力し
、システムマイコン部10の制御指示に応じたチャンネルを選局する。このようにして受信
選局された放送波は、例えばストリームデータとして録画信号処理部40に出力される。録
画信号処理部40では、入力されたストリームデータから必要とされる番組（チャンネル）
のデータを抽出して、例えば圧縮ビデオデータ（圧縮オーディオデータを含む）を得る。
【００１９】
このようにして得られた圧縮ビデオデータは、例えばシステムマイコン部10の制御によっ
て録画のためにハードディスクドライブ部50に転送され、記録される。
【００２０】
また、例えばキー入力部110に対して再生操作が行われた場合には、システムマイコン
部10は、ハードディスクドライブ部50に記録された録画ファイルのうちから再生指示され
た録画ファイルを検索し、この録画ファイルの読み出しが行われるように制御を実行する
。このようにして読み出された録画ファイルとしての圧縮ビデオデータは、録画信号処理
部40に出力される。録画信号処理部40は、圧縮ビデオデータをデコード（伸長）して出力
する機能も備えており、デコード処理が施されることによって、例えば動画像信号と、こ
の動画像信号に同期したオーディオ信号が得られる。そして、この場合には、動画像信号
及びオーディオ信号を図示しないＡＶ出力端子AVoutに出力する。例えばこれらのＡＶ出
力端子AVoutを外部の図示しないディスプレイ装置に接続すれば、このディスプレイ装置
によってハードディスクドライブ部50から再生された録画番組としての画像音声が出力さ
れることになる。
【００２１】
電源部130は、常時通電でMPU100に供給され、MPU100による制御でキー入力部110の操作
による電源ＯＮ／ＯＦＦに応じて電源切換部140が切換えられ、主要構成部であるシステ
ムマイコン部10等に供給される。
【００２２】
以上説明した記録再生装置1000は、ハードディスクドライブ部50、ディスクドライブ部
60、録画再生処理部40等の発熱部分を多く持つ。そして、これらの発熱部は、特に録画再
生中の発熱が多く、この時には発熱量が放熱量を上回るため、各発熱部ばかりでなく、こ
れらの発熱部に近接して配置された他の部材や、素子の温度も上昇することになる。この
温度上昇（昇温）を冷却ファン(FAN)200によって防止する。
【００２３】
図２は、本実施の形態にかかわる冷却ファンの異常信号生成ロジックをまとめた図であ
る。
【００２４】
図２は、記録再生装置1000の電源動作(装置の電源動作)，冷却ファン200の回転状態(FA
N回転)，記録再生装置1000の動作状態(録画動作等)(装置の動作状態)，冷却ファン200の
異常(故障により回転不可)を示す信号(IN_FAN_ERR)，記録再生装置1000の表示部120の表
示例(装置の表示部)の組み合わせを示している。
【００２５】
また、図３は、停止検知部210の一例として、冷却ファン200と停止検知部210及びプル
アップ回路215との接続関係を示す図である。
【００２６】
まず、装置の電源動作がPOWER ONの場合について説明する。
【００２７】
POWER ONとは、例えば、記録再生装置1000が所定の番組を録画している状態であり、冷
却ファン200が回転(動作)し、冷却しなければならない状態である。この時、冷却ファン2
00が回転(動作)するのが正常であり、冷却ファン200に異常(故障)がないので、冷却ファ
ン200からの出力信号はL(ローレベル)となり、表示部120には何も表示されない(正常状態
)。
【００２８】
これに対して、POWER ONであり冷却しなければならない状態であるにもかかわらず冷却
ファン200が停止(回転しない)している状態は、異常であり、冷却ファン200からの出力信
号はH(ハイレベル)となり、これに対応して、表示部120には、例えば、動作異常(ERT0002
)と、エラーメッセージとエラーコードが表示される。これにより、ユーザは、冷却ファ
ン200が故障していることを把握することができる。また、記録再生装置1000は、冷却フ
ァン200からの出力信号H(ハイレベル)により、POWER ON(例えば、録画状態)からPOWER OF
F(録画中止，電源スタンバイ)に変更する。これにより、熱による記録再生装置1000への
悪影響を防止し、故障を避けることができる。
【００２９】
次に、装置の電源動作がPOWER OFFの場合について説明する。
【００３０】
POWER OFFとは、上記したように、例えば、録画等を行っていない状態で、ユーザから
見ると記録再生装置1000が動作していない(オフ)状態である。この時、熱の発生はほとん
どないため、冷却ファン200も停止している状態が正常である。なお、この場合の冷却フ
ァン200からの出力信号H(ハイレベル)であり、これは、装置の電源がPOWER ONで冷却ファ
ン200が停止の状態の冷却ファン200からの出力信号H(ハイレベル)と同じである。
【００３１】
しかしながら、冷却ファン200からの出力信号L(ローレベル)の場合、ショートされてい
ることとなり、冷却ファン200の回転状態を、記録再生装置1000が把握できない状態であ
ることを示す。
【００３２】
図３に示すように、プルアップ回路215は、プルアップ電源と抵抗(R)とからなり、プル
アップ電源は、抵抗(R)を介して冷却ファン200の停止検知部210に接続されている。なお
、プルアップ電源は、電源部140を流用してもよいし、別途設けてもよい。これにより、
記録再生装置1000は、冷却ファン200が動作を停止しているか否かを常に把握することが
でき、POWER OFFの状態で、本来であれば冷却ファン200が停止している状態でも冷却ファ
ン200の状態を把握(不定の状態がなくなる)することができる。このため、たとえ冷却フ
ァン200が故障し動作しない状況で、POWER ONとなり、熱が発生し、記録再生装置1000が
冷却ファン200を回転させるように指示しているにもかかわらず、冷却ファン200から動作
停止を示す信号が記録再生装置1000に届かずに、録画動作を続け、結果として、記録再生
装置1000を熱により故障させるということがなくなる。
【００３３】
図４は、本実施の形態にかかわるMPU100の機能ブロック図である。
【００３４】
図４では、MPU100には、電源部130，表示部120，電源切換部140，冷却ファン200が接続
されている。なお、図４において、図１と同じ構成，同じ動作については同一番号を付し
、説明を省略し、異なる部分のみ説明する。
【００３５】
冷却ファン200は、作動時には、記録再生装置1000本体を構成する各部材、素子等の昇
温を有効に防止する程度の送風量を発生させることができるものである。冷却ファン200
は、冷却ファン200が異常停止した時にこれを検知する停止検知部210を備え、これにより
停止したか否かの検知及びその結果を出力がする。なお、冷却ファン200は、その回転，
停止がMPU100の電源/FAN制御部410の指令によって行われる構成となっており、この電源/
FAN制御部410による回転停止は正常停止とし、故障等による異常停止と区別される。した
がって、停止検知が検知するのは、異常停止(電源/FAN制御部410によるものではない停止
)のみであって、正常停止は検知しない。停止検知信号は、冷却ファン200が異常停止した
ときにこれを検知して出力する。
【００３６】
回転制御/停止検知比較部420は、電源/FAN制御部410の指令と、冷却ファン200からの停
止検知信号(図３の停止検知部210からの出力信号)とを比較する。そして、回転制御/停止
検知比較部420による論理結果に基づき、異常停止判断部430は、表示部120へのメッセー
ジ表示、および電源/FAN制御部410を介して電源切換部140を制御することにより、主要回
路(システムマイコン部10等)への電源部130からの電力の停止，冷却ファン200への電源部
130からの電力の停止を行う。
【００３７】
なお、電源部130は、MPU100及び表示部120に対して、常にONであり、電力を供給してい
る。また、MPU100は、キー入力部10からのキー入力を受信，キー入力の有無，その内容を
判別するキー入力判別部115を備える。
【００３８】
図５は、本実施の形態にかかわる冷却ファン120の異常停止を検知する停止検知部210及
びMPU100の動作フローチャートである。
【００３９】
なお、冷却ファン200の電源/FAN制御部410による回転制御は、記録再生装置1000でのハ
ードディスクドライブ部50若しくは光ディスク70に記録されている番組の再生及び記録中
には、これを回転させ、また、スタンバイ状態(電源OFF)のときには、冷却ファン200を停
止させるように行われているものとする。
【００４０】
まず、記録再生装置1000の電源スタンバイ(電源OFF)の状態で、冷却ファン200も停止の
状態である(ステップ501)。この状態、つまり、図２のPOWER OFF/停止の状態で、停止検
知部210からの出力信号がHかLなのかをチェック、即ち、停止検知信号の異常の有無を検
査する(ステップ502)。冷却ファン200の停止時に停止検知信号が異常かをチェックし(ス
テップ503)、異常の場合(Yes。停止検知部210からの出力信号がLの場合)、記録再生装置1
000が冷却ファン200の回転，停止を把握できない状態であることから、記録再生装置1000
の電源をスタンバイし、冷却ファン200に対して停止指示を行う(ステップ504)。MPU100は
、表示部120に対して、冷却ファン200の異常を示すために、図６に示すように、メッセー
ジを表示する(ステップ505)とともに、ユーザによる記録再生装置1000の電源ON操作を受
け入れない(不許可)ようにする(ステップ506)。
【００４１】
なお、図６以外にも、図７に示すように、記録再生装置1000に接続されているTVの画面
に、メッセージを表示してもよい。
【００４２】
ステップ503でNo(停止検知部210からの出力信号がHLの場合)の場合(異常無で正常の場
合)、MPU100は、記録再生装置1000の電源ON操作を許可するとともに、電源/FAN制御部410
は、冷却ファン200に対して回転を指示する(ステップ510)。これにより、冷却ファン200
は回転する(ステップ511)。
【００４３】
停止検知部210は、冷却ファン200の回転中、停止検知信号の異常の有無をチェックする
。停止検知部210は、停止検知信号が異常と判断した場合(ステップ512でYesの場合。停止
検知部210からの出力信号がHの場合)、ステップ504に移行する。ステップ512でNoの場合(
停止検知部210からの出力信号がLの場合)、冷却ファン200が異常停止したのか否かをチェ
ックする(ステップ513)。ステップ513でYesの場合、つまり、回転制御/停止検知比較部42
0への入力が、異常(H)の場合、異常停止判断部430は、停止検知部210からの停止検知信号
は冷却ファン200の異常停止によるものと判断し(ステップ520)、ステップ504に移行する
。また、ステップ513でNoの場合(冷却ファン200は異常停止ではなく、正常停止である場
合)、電源スタンバイ，冷却ファン200の停止指示の有無をチェックし(ステップ514)、こ
れらの指示がない場合(Noの場合)、ステップ511に戻り、冷却ファン200の回転を継続する
。ステップ514でYesの場合、記録再生装置1000の電源をスタンバイにするとともに、冷却
ファン200の回転を停止する(ステップ515)。
【００４４】
そして、本実施の形態によれば、停止検知信号の異常状態での使用を事前に回避し、冷
却ファンの異常停止にもかかわらず、停止検知信号の異常によりそれを検知できず正常回
転とする誤った判断を防止させることができる。
【図面の簡単な説明】
【００４５】
【図１】本発明の一実施の形態による記録再生装置の概略構成図。
【図２】同実施の形態にかかわる冷却ファンの異常信号生成ロジックをまとめた図。
【図３】同実施の形態にかかわる停止検知部の一例を示す図。
【図４】同実施の形態にかかわるMPUの機能ブロック図。
【図５】同実施の形態にかかわる冷却ファンの異常停止を検知する停止検知部及びMPUの動作フローチャート。
【図６】冷却ファンの異常時のメッセージを装置本体の表示部に表示する表示例。
【図７】冷却ファンの異常時のメッセージをTVの画面に表示する表示例。
【符号の説明】
【００４６】
10  システムマイコン部
100  MPU
120  表示部
130  電源部
140  電源切換部
200  冷却ファン(FAN)
210  停止検知部
215  プルアップ回路
410  電源/FAN制御部
420  回転制御/停止検知比較部
430  異常停止判断部
1000  記録再生装置
【図１】
2009211793.tif 000003
【図２】
2009211793.tif 000004
【図３】
2009211793.tif 000005
【図４】
2009211793.tif 000006
【図５】
2009211793.tif 000007
【図６】
2009211793.tif 000008
【図７】
2009211793.tif 000009